(57)【要約】【課題】事前にユーザアカウントを取得していない端末装置が、認証装置のユーザアカウントを取得できることにより、インターネットにアクセスすることができるLANシステムを提供する。【解決手段】LANシステムにおいて、端末装置１０２は、認証装置１０１から認証装置識別子を受信すると、認証装置識別子を含む利用申請情報を利用申請装置１０３に送信する。利用申請装置１０３は、利用申請情報を受信すると、認証装置識別子に対応する認証装置１０１にユーザアカウント発行依頼情報を送信する。認証装置１０１は、ユーザアカウント発行依頼情報を受信すると、ユーザアカウントを発行し、利用申請装置１０３に送信する。ユーザアカウントを受信した利用申請装置１０３は、端末装置１０２にユーザアカウントを送信する。ユーザアカウントを受信した端末装置１０２は、ユーザアカウントにより、インターネットに接続できる。【選択図】  図１
2010074481.tif 000002
【特許請求の範囲】
【請求項１】
端末装置が有するユーザアカウントが、認証装置により発行されたユーザアカウントである場合に、前記認証装置が、前記端末装置のインターネットへの接続を認証するLANシステムにおいて、
自装置を特定する認証装置識別子を第１の通信路で送信する認証装置と、
前記認証装置識別子を受信すると、前記認証装置識別子と、自装置を特定する端末装置識別子とを含む利用申請情報を第２の通信路で送信する端末装置と、
前記利用申請情報を受信すると、前記認証装置識別子に対応する認証装置に対して、ユーザアカウント発行依頼情報を第３の通信路で送信する利用申請装置とを備え、
前記認証装置は、前記ユーザアカウント発行依頼情報を受信すると、ユーザアカウントを含む情報を発行し、前記ユーザアカウントを含む情報を前記第３の通信路で前記利用申請装置に対して送信し、
前記利用申請装置は、前記ユーザアカウントを含む情報を受信すると、前記第２の通信路で前記端末装置に対して、前記ユーザアカウントを含む情報を送信し、
前記端末装置は、前記ユーザアカウントを含む情報を受信する
LANシステム。
【請求項２】
前記第２の通信路が、PHS網であり、
前記端末装置識別子が、PHSインターフェース部の電話番号であることを特徴とする請求項１記載のLANシステム。
【請求項３】
自装置が有するユーザアカウントが、認証装置により発行されたユーザアカウントである場合に、前記認証装置が、自装置をインターネットに接続可能とする端末装置において、
前記認証装置を特定する識別子である認証装置識別子を受信する第１のインターフェース部と、
前記認証装置識別子を受信すると、前記認証装置識別子と、自装置を特定する端末装置識別子とを含む利用申請情報を利用申請装置に対して送信するとともに、前記認証装置識別子に対応する認証装置が発行し、前記利用申請装置が送信するユーザアカウントを含む情報を受信する第２のインターフェース部とを備えたことを特徴とする端末装置。
【請求項４】
前記端末装置は、取得しているユーザアカウントと、前記ユーザアカウントを発行した認証装置の認証装置識別子とを記憶する記憶部を更に備え、
前記第２のインターフェース部は、前記記憶部が、前記認証装置から受信した前記認証装置識別子を記憶していない場合に、前記認証装置から前記認証装置識別子を受信すると、前記認証装置から受信した認証装置識別子と、前記端末装置を特定する端末装置識別子とを含む利用申請情報を送信し、
前記第２のインターフェース部は、前記記憶部が、前記認証装置から受信した前記認証装置識別子を記憶している場合に、前記認証装置識別子を受信すると、前記端末装置が記憶している認証装置識別子に対応する認証装置が発行したユーザアカウントを含む情報を前記認証装置に対して送信することを特徴とする請求項３記載の端末装置。
【請求項５】
前記第２の通信手段が、PHSインターフェース部であり、
前記端末装置識別子が、前記PHSインターフェース部の電話番号であることを特徴とする請求項３、又は請求項４記載の端末装置。
【請求項６】
認証装置を特定する識別子である認証装置識別子と端末装置を特定する端末装置識別子とを含む利用申請情報を端末装置から受信する第１のインターフェース部と、
前記利用申請情報を受信すると、前記認証装置識別子に対応する前記認証装置に対して、ユーザアカウント発行依頼情報を送信する第２のインターフェース部とを備え、
前記第２のインターフェース部は、前記認証装置識別子に対応する認証装置が発行するユーザアカウントを含む情報を前記認証装置からを受信し、
前記第１のインターフェース部は、前記ユーザアカウントを含む情報を前記端末装置に対して送信する
利用申請装置。
【請求項７】
前記利用申請装置は、取得しているユーザアカウントと、前記ユーザアカウントを発行した認証装置の認証装置識別子とを記憶する記憶部を有し、
前記第２のインターフェース部は、前記記憶部が、前記利用申請情報に含まれる前記認証装置識別子を記憶していない場合に、前記利用申請情報を受信すると、前記認証装置識別子に対応する認証装置に対して、ユーザアカウント発行依頼情報を送信し、
前記第２のインターフェース部は、前記記憶部が、前記利用申請情報に含まれる前記認証装置識別子を記憶している場合に、前記利用申請情報を受信すると、前記利用申請装置が記憶している認証装置識別子に対応する認証装置が発行したユーザアカウントを前記認証装置に対して送信することを特徴とする請求項６記載の利用申請装置。
【請求項８】
前記利用申請装置は、課金データベースを備え、
前記ユーザアカウントは、ユーザＩＤを含み、
前記課金データベースは、前記ユーザＩＤと、前記ユーザアカウントを取得した端末装置の端末装置識別子との組み合わせを記憶し、前記端末装置がインターネットに接続することにより、前記課金データベースは、前記ユーザＩＤを記憶することを特徴とする請求項６、又は請求項７記載の利用申請装置。
【請求項９】
端末装置が有するユーザアカウントが、認証装置により発行されたユーザアカウントである場合に、前記認証装置が、前記端末装置のインターネットへの接続を認証するLANシステムにおける端末装置のユーザアカウント取得方法であって、
認証装置が、自装置を特定する認証装置識別子を第１の通信路で送信するステップと、
端末装置が、前記認証装置識別子を受信すると、前記認証装置識別子と、自装置を特定する端末装置識別子とを含む利用申請情報を第２の通信路で送信するステップと、
前記利用申請装置が、前記利用申請情報を受信すると、前記認証装置識別子に対応する認証装置に対して、ユーザアカウント発行依頼情報を第３の通信路で送信するステップと、
前記認証装置が、前記ユーザアカウント発行依頼情報を受信すると、ユーザアカウントを含む情報を発行し、前記ユーザアカウントを含む情報を前記第３の通信路で前記利用申請装置に対して送信するステップと、
前記利用申請装置は、前記ユーザアカウントを含む情報を受信すると、前記第２の通信路で前記端末装置に対して、前記ユーザアカウントを含む情報を送信するステップと、
前記端末装置は、前記ユーザアカウントを含む情報を受信するステップとを有する
ユーザアカウント取得方法。
【発明の詳細な説明】
【技術分野】
【０００１】
本発明はLANシステム、端末装置、利用申請装置、ユーザアカウント取得方法に関する。
【背景技術】
【０００２】
公衆無線LAN事業者（以下、事業者という）が提供するサービスすなわち公衆無線LANサービスとは、事業者により設置された無線LANを介して、インターネットなどの通信網へのアクセスを可能にするものである。特に、無線LANアクセスポイントは、公道、駅、地下街等の公衆スポットに設置されており、事業者の公衆無線LANサービスに加入しているユーザは、ノートパソコンやPDA（Personal  Digital  Assistance）等の端末を無線LANに接続することにより、その無線LANを介したインターネットなどの通信網へのアクセスが可能となる。公衆無線サービスを利用しようとするユーザは、サービス利用開始前に利用者登録や契約をおこなってユーザIDとパスワードをあらかじめ取得しておく。これによりサービス利用時に、公衆無線サービスを提供する事業者の認証サーバの認証を受けることができるので、公衆無線LANサービスを利用することが可能となる（特許文献１）。
【０００３】
しかしながら、例えば、ユーザが、外出先で、公衆無線LANアクセスポイントを発見した場合であっても、事前に契約していない公衆無線LAN事業者による公衆無線LANサービスである場合、ユーザIDとパスワードを取得していないために認証サーバから認証を得られないため、公衆無線LANサービスを使用できないといった問題があった。
【特許文献１】特開2007-129401
【発明の開示】
【発明が解決しようとする課題】
【０００４】
本発明は、ユーザが、事前にユーザアカウントを取得していない認証装置のユーザアカウントを取得できることにより、インターネットにアクセスすることができるLANシステムを提供することを目的とする。
【課題を解決するための手段】
【０００５】
上記目的を達成するために、本発明の一実施態様に係るＬＡＮシステムは、端末装置が有するユーザアカウントが、認証装置により発行されたユーザアカウントである場合に、前記認証装置が、前記端末装置のインターネットへの接続を認証するLANシステムにおいて、自装置を特定する認証装置識別子を第１の通信路で送信する認証装置と、前記認証装置識別子を受信すると、前記認証装置識別子と、自装置を特定する端末装置識別子とを含む利用申請情報を第２の通信路で送信する端末装置と、前記利用申請情報を受信すると、前記認証装置識別子に対応する認証装置に対して、ユーザアカウント発行依頼情報を第３の通信路で送信する利用申請装置とを備え、前記認証装置は、前記ユーザアカウント発行依頼情報を受信すると、ユーザアカウントを含む情報を発行し、前記ユーザアカウントを含む情報を前記第３の通信路で前記利用申請装置に対して送信し、前記利用申請装置は、前記ユーザアカウントを含む情報を受信すると、前記第２の通信路で前記端末装置に対して、前記ユーザアカウントを含む情報を送信し、前記端末装置は、前記ユーザアカウントを含む情報を受信することを特徴とする。
【０００６】
又、本発明の一実施態様に係る端末装置は、自装置が有するユーザアカウントが、認証装置により発行されたユーザアカウントである場合に、前記認証装置が、自装置をインターネットに接続可能とする端末装置において、前記認証装置を特定する識別子である認証装置識別子を受信する第１のインターフェース部と、前記認証装置識別子を受信すると、前記認証装置識別子と、自装置を特定する端末装置識別子とを含む利用申請情報を利用申請装置に対して送信するとともに、前記認証装置識別子に対応する認証装置が発行し、前記利用申請装置が送信するユーザアカウントを含む情報を受信する第２のインターフェース部とを備えたことを特徴とする。
【０００７】
又、本発明の一実施態様に係る利用申請装置は、認証装置を特定する識別子である認証装置識別子と端末装置を特定する端末装置識別子とを含む利用申請情報を端末装置から受信する第１のインターフェース部と、前記利用申請情報を受信すると、前記認証装置識別子に対応する前記認証装置に対して、ユーザアカウント発行依頼情報を送信する第２のインターフェース部とを備え、前記第２のインターフェース部は、前記認証装置識別子に対応する認証装置が発行するユーザアカウントを含む情報を前記認証装置からを受信し、前記第１のインターフェース部は、前記ユーザアカウントを含む情報を前記端末装置に対して送信することを特徴とする。
【０００８】
又、本発明の一実施態様に係るユーザアカウント取得方法は、端末装置が有するユーザアカウントが、認証装置により発行されたユーザアカウントである場合に、前記認証装置が、前記端末装置のインターネットへの接続を認証するLANシステムにおける端末装置のユーザアカウント取得方法であって、認証装置が、自装置を特定する認証装置識別子を第１の通信路で送信するステップと、端末装置が、前記認証装置識別子を受信すると、前記認証装置識別子と、自装置を特定する端末装置識別子とを含む利用申請情報を第２の通信路で送信するステップと、前記利用申請装置が、前記利用申請情報を受信すると、前記認証装置識別子に対応する認証装置に対して、ユーザアカウント発行依頼情報を第３の通信路で送信するステップと、前記認証装置が、前記ユーザアカウント発行依頼情報を受信すると、ユーザアカウントを含む情報を発行し、前記ユーザアカウントを含む情報を前記第３の通信路で前記利用申請装置に対して送信するステップと、前記利用申請装置は、前記ユーザアカウントを含む情報を受信すると、前記第２の通信路で前記端末装置に対して、前記ユーザアカウントを含む情報を送信するステップと、前記端末装置は、前記ユーザアカウントを含む情報を受信するステップとを有することを特徴とする。
【発明の効果】
【０００９】
本発明によるLANシステムによれば、ユーザが、事前にユーザアカウントを取得していない認証装置のユーザアカウントを取得できることにより、インターネットにアクセスすることができる。
【発明を実施するための最良の形態】
【００１０】
（第１の実施形態）
図１は、第１の実施形態にかかるLANシステムを示すブロック図である。
【００１１】
LANシステムは、複数の認証装置１０１と、複数の端末装置１０２と、利用申請装置１０３とを有する。各認証装置１０１は、各々が利用エリア１０４を有する。端末装置１０２は、インターネット１０５に接続するためには、利用エリア１０４毎で異なる認証装置１０１から認証を受ける必要がある。また、各認証装置１０１は、各々の認証装置１０１ごとに各々の認証装置１０１を特定する認証装置識別子を有する。
【００１２】
ここで、認証装置１０１は、利用エリア１０４内の端末装置１０２が有するユーザアカウントが、正当なユーザアカウントか否かを認証する。そして、正当なユーザアカウントである場合に、端末装置１０２をインターネット１０５に接続させる装置である。ここで、正当なユーザアカウントとは、例えば、認証装置１０１が、発行したユーザアカウントである。したがって、端末装置１０２がインターネット１０５に接続するためには、利用エリア１０４毎に、認証装置１０１が発行したユーザアカウントをあらかじめ取得している必要がある。もし端末装置１０２がユーザアカウントを取得していない場合には、端末装置１０２は、利用申請装置１０３に利用申請情報を送信する。後述するように、認証装置１０１は、利用申請装置１０３からのユーザ発行依頼である一時利用ユーザアカウント作成依頼メッセージを受信することにより、ユーザアカウントを発行する。
【００１３】
また、認証装置１０１は、自装置を特定し、他のすべての認証装置１０１と異なる認証装置識別子を第１の通信手段１０６により、利用エリア１０４内の第１の通信路１１２で送信する。ここで、第１の通信路１１２は、例えば、有線LAN、又は無線LANである。第１の通信手段１０６は、例えば、有線LANインターフェース部、又は無線LANインターフェース部である。
【００１４】
また、端末装置１０２は、第２の通信手段１０７（請求項２の第１のインターフェース部に該当。）と、第３の通信手段１０８（請求項２の第２のインターフェース部に該当。）を備える。そして、認証装置１０１から認証装置識別子を第２の通信手段１０７により受信すると、もし端末装置１０２が、ユーザアカウントを既に取得済みであれば認証装置１０１に対して認証を要求してインターネット１０５への接続を試みる。すなわち、端末装置１０２は、認証装置１０１に対して、取得済みのユーザアカウントを含む情報を認証装置に対して、送信する。他方、ユーザアカウントを取得していない場合には、端末装置１０２は認証装置識別子と、端末装置１０２を特定する端末装置識別子とを含む利用申請情報を第１の通手段１０７と異なる第３の通信手段１０８により、第２の通信路１１３で利用申請装置１０３に送信する。尚、端末装置１０２は、認証装置識別子を受信すると自動的に利用申請情報を送信するか、又は、端末装置１０２は、認証装置識別子を受信後、端末装置１０２のユーザによる制御が入ることにより、利用申請情報を送信する。また、第３の通信手段１０８、第２の通信路１１３は、それぞれ、例えば、PHSインターフェース部、PHS通信網である。そして、端末装置１０２を特定する識別子は、第３の通信手段１０８に対して付与されている識別子であることが好ましい。例えば、第３の通信手段１０８に対して付与されている識別子は、PHSインターフェース部の電話番号である。
【００１５】
また、利用申請装置１０３は、第４の通信手段１０９（請求項３の第１のインターフェース部に該当。）と第５の通信手段１１０（請求項３の第２のインターフェース部に該当。）を備える。そして、第４の通信手段１０９により、利用申請情報を受信すると、認証装置識別子に対応する認証装置１０１に対して、第５の通信手段１１０により、第３の通信路１１４でユーザアカウント発行依頼情報を送信する装置である。ここで、第４の通信手段１０９は、第２の通信路で端末装置の第３の通信手段１０８と通信を行う通信手段である。第４の通信手段１０９は、例えば、PHSインターフェース部である。また、第５の通信手段１１０、第３の通信路１１４は、それぞれ、例えば、TCP/IPインターフェース部、TCP/IPである。
【００１６】
次に、本実施形態に係るLANシステムの動作と合わせて、ユーザアカウントの発行方法について、より詳細に、図２を用いて説明する。図２は、第１の実施形態にかかるLANシステムの動作方法を示すブロック図である。
【００１７】
認証装置１０１は、第１の通信路１１２で、認証装置１０１を特定する識別子である認証装置識別子を送信する。ここで、第１の通信路１１２が無線LANである場合は、認証装置１０１は、無線LANの利用エリア１０４の範囲に認証装置識別子を送信する。認証装置１０１は、定期的に認証装置識別子を送信している。
【００１８】
端末装置１０２は、第２の通信手段１０７により、認証装置識別子を受信すると、認証装置識別子と、端末装置１０２を特定する識別子である端末装置識別子を含む利用申請情報を利用申請装置１０３に対して、第３の通信手段１０８により送信する。
【００１９】
次に、利用申請装置１０３は、認証装置識別子と端末装置識別子を含む情報を第４の通信手段１０９により受信すると、認証装置識別子の情報を基に、認証装置識別子に対応する認証装置１０１を特定する。そして、認証装置識別子に対応する認証装置１０１に対して、ユーザアカウントの発行を依頼する情報を第５の通信手段１１０により送信する。
【００２０】
認証装置１０１は、利用申請装置１０３からのユーザアカウントの発行を依頼する情報を第６の通信手段１１１により受信すると、ユーザアカウントを含む情報を発行する。そして、認証装置１０１は、発行したユーザアカウントを含む情報を認証装置１０１に登録する。次に、認証装置１０１は、発行したユーザアカウントを含む情報を利用申請装置１０３に、第６の通信手段１１１により送信する。
【００２１】
利用申請装置１０３は、ユーザアカウントを含む情報を第５の通信手段１１０により受信すると、端末装置１０２にユーザアカウントを含む情報を第４の通信手段１０９により送信する。
【００２２】
端末装置１０２は、第３の通信手段１０８により、ユーザアカウントを含む情報を受信する。そして、端末装置１０２は、第２の通信手段１０７を用いて、認証装置１０１にユーザアカウントを含む情報を送信する。
【００２３】
認証装置１０１は、第１の通信手段１０６により、ユーザアカウントを含む情報を受信し、ユーザアカウントの正当性を確認して、端末装置１０２をインターネット１０５を接続するか否かの確認を実施する。ここで、受信したユーザアカウントが、認証装置１０１に登録されたユーザアカウントであるか否かでユーザアカウントの正当性を確認する。そして、認証装置１０１は、ユーザアカウントを正当なユーザアカウントと認証すると、端末装置１０２をインターネット１０５に接続させる。本実施形態に係るLANシステムによれば、端末装置１０２が、認証装置１０１の利用エリア１０４に入ると、端末装置１０２が、認証装置１０１の認証装置識別子を受信し、端末装置１０２が、利用申請装置１０３に、利用申請情報を送信し、利用申請装置１０３が、認証装置１０１に対して、ユーザアカウント発行依頼を送信することにより、認証装置１０１が、ユーザアカウントを発行し、端末装置１０２が、そのユーザアカウントを取得することができるため、事前に認証装置１０１のユーザアカウントを取得していなくても、インターネット１０５に接続することができる。
【００２４】
また、本実施形態に係るLANシステムによれば、端末装置１０２が、認証装置識別子を受信することにより、利用申請装置１０３に対して利用申請情報を送信することから、端末装置１０２のユーザは、認証装置１０１のエリアに入ることにより、自動的にユーザアカウントを取得することができる。
【００２５】
（例１）
図３は、第１の実施形態の例１にかかるLANシステムを示すブロック図である。
【００２６】
本例に係るLANシステムは、認証装置２０１と、利用申請装置２０３と、端末装置２０２とを備える。
【００２７】
まず、端末装置２０２について説明する。端末装置２０２は、パーソナルコンピュータ２０２である。図４に、本例にかかるパーソナルコンピュータ２０２のブロック図を示す。パーソナルコンピュータ２０２は、無線LANインターフェース部２０２A（第１の実施形態における第２の通信手段１０７に対応。）と、PHSインターフェース部２０２B（第１の実施形態における第３の通信手段１０８に対応。）と、利用申請制御部２０２Cと、アカウント記憶部２０２Dとを備える。無線LANインターフェース部２０２Aは、第１の実施形態に係る端末装置の第２の通信手段１０７と同様の機能を有する。即ち、無線LANで、認証装置２０１との通信を行う。本例においては、無線LANインターフェース部２０２Aは、認証装置２０１の無線LANアクセスポイント２０１Aとの通信を行う。また、PHSインターフェース部２０２Bは、第１の実施形態に係る端末装置の第３の通信手段１０８と同様の機能を有する。即ち、PHS網２１２で、利用申請装置２０３との通信を行う。また、PHSインターフェース部２０２Bは、PHSインターフェース部２０２Bを特定する識別子として、電話番号が付与されている。例えば、電話番号は、○○○−××××−△△△△である。
【００２８】
ここで、PHSインターフェース部２０２Bに付与されている電話番号は、PHS網２１２のサービスを提供する事業者に対して、PHSの所有者を特定する情報を伝えて、契約を結ぶことにより、付与される電話番号である。従って、PHSインターフェース部２０２Bを有する端末装置２０２は、PHS網２１２で通信を行う際、個人情報等の入力等することによるPHS網サービスの提供事業者認証なしで、自由にPHSの電話番号を有する利用申請サーバ２０３Aと通信を行うことができる。
【００２９】
アカウント記憶部２０２Dは、認証装置識別子とその認証装置識別子に対応する認証装置２０１が以前発行し端末装置２０２が既に取得したユーザアカウントを含む情報を記憶している。ここで、認証装置識別子は、例えば、例えば、ESSIDとBSSIDである。また、ユーザアカウントを含む情報とは、例えばユーザIDとパスワードを含む情報である。また、ユーザアカウントを含む情報は、更に、無線LANの接続パラメータを含んでいても良い。無線LANの接続パラメータとしては、例えば、無線LAN暗号方式、無線LAN暗号鍵、ユーザ認証方式がある。無線LAN暗号方式は、例えば、WEP、WEP１０４、WEP128、WPA、WPA−PSK、WPA２−PSKのいずれかを示す値や文字列である。また、無線LAN暗号鍵は、例えば、WEP、WEP１０４、WEP128、WPA−PSK、WPA２−PSKである場合の鍵データ列である。また、ユーザ認証方式は、例えば、WPA、WPA２、Weｂのいずれかを示す値や文字列を含む。図５に、アカウント記憶部２０２Dが記憶している認証装置識別子とユーザアカウントを含む情報の１例を示す。
【００３０】
利用申請制御部２０２Cは、パーソナルコンピュータ２０２をインターネットに接続する際の、ユーザアカウント取得のための制御を行う装置であって、PHSインターフェース部２０２B、無線LANインターフェース部２０２A、アカウント記憶部２０２Dの制御を行う。
【００３１】
次に、利用申請装置２０３について説明する。図６は、利用申請装置２０３のブロック図である。利用申請装置２０３は、PHSインターフェース部２０３A1と、TCP/IPインターフェース部２０３A2、アカウント制御部２０３A3とを備える利用申請サーバ２０３Aと、課金データベース２０３Bと、認証サーバデータベース２０３Cとを備える。PHSインターフェース部２０３A１は、第１の実施形態に係る利用申請装置２０３の第４の通信手段１０９と同様の機能を有する。PHSインターフェース部２０３A１は、PHS通信網で、パーソナルコンピュータ２０２のPHSインターフェース部２０２Bとの通信を行う。また、PHSインターフェース部２０３A１は、PHSインターフェース部２０３A１を特定する識別子として、電話番号が付与されている。例えば、電話番号は、×××−△△△△−○○○○である。
【００３２】
また、TCP/IPインターフェース部２０３A2は、第１の実施形態に係る利用申請装置２０３の第５の通信手段１１０と同様の機能を有する。TCP/IPインターフェース部２０３A2は、認証装置２０１の認証サーバ２０１BのTCP/IPインターフェース部２０１B1と通信を行う。
【００３３】
また、認証サーバデータベース２０３Cは、認証装置識別子とその認証装置識別子に対応する認証装置２０１の所在箇所、例えば、IPアドレスを記憶する。
【００３４】
また、課金データベース２０３Bは、アカウント作成ログと、利用確認ログを記憶する。ここで、アカウント作成ログとは、例えば、認証装置２０１が発行したユーザアカウントを含む情報に含まれるユーザIDと、そのユーザIDを取得したパーソナルコンピュータ２０２のPHSインターフェース部２０２Bの電話番号を含む。また、利用確認ログは、例えば、パーソナルコンピュータ２０２が、ユーザIDを含めたユーザアカウントによりインターネットに接続した際に、課金データベース２０３Bが記憶するユーザIDを含む。
【００３５】
また、アカウント制御部２０３A３は、パーソナルコンピュータ２０２からの申請に基づき、パーソナルコンピュータ２０２がインターネット接続する際のユーザアカウントを取得し、パーソナルコンピュータ２０２にユーザアカウントを提供するための制御であって、PHSインターフェース部２０３A１とTCP/IPインターフェース部２０３A2と認証サーバデータベース２０３Cと課金データベース２０３Bとの制御を行う。
【００３６】
次に、認証装置２０１について説明する。認証装置２０１は、認証ゲートウェイ２０１Dと無線LANアクセスポイント２０１Aと認証サーバ２０１Bと認証データベース２０１Cとを備える。
【００３７】
無線LANアクセスポイント２０１Aは、自装置を特定し、他のすべての無線LANアクセスポイント２０１Aと異なるビーコンを無線LANインターフェース部により送信する。ここで、無線LANアクセスポイント２０１Aのビーコンは、例えば、BSSID:００:０１:０２:aa:bb:cc、ESSID:public-wlanであるとする。尚、ビーコンは、ESSIDの文字列が空のビーコンである場合もある（ステルスモード）。この場合、無線LANアクセスポイント２０１Aは、ESSIDとして空文字列を送信する。
【００３８】
また、認証サーバ２０１Bは、無線LANアクセスポイント２０１Aに接続したパーソナルコンピュータ２０２を、認証するサーバである。認証方法は、例えば、無線LANアクセスポイント２０１Aに接続したパーソナルコンピュータ２０２のユーザアカウントが正当なユーザアカウントか否かを認証する。例えば、HTTPによるWeｂ認証の様に、ユーザIDとパスワードの正当性を確認する方法がある。ここで、正当なユーザアカウントとは、例えば、認証サーバ２０１Bが発行したユーザアカウントである。また、その他の認証方法として、IEEE８０２．１X、IEEE８０２．１１iなどの方法がある。
【００３９】
また、認証装置２０１は、利用申請装置２０３からのユーザアカウント発行依頼により、ユーザアカウントを発行する。
【００４０】
また、認証ゲートウェイ２０１Dは、認証サーバ２０１Bにより認証されたパーソナルコンピュータ２０２に関する通信のみをインターネットに通過させるゲートウェイである。ここで、認証ゲートウェイ２０１Dの機能を、無線LANアクセスポイント２０１Aが内蔵していてもよい。
【００４１】
次に、LANシステムの動作方法について説明する。図７は、LANシステム全体の動作の流れ図である。又、図８は、本例にかかるLANシステムのパーソナルコンピュータ２０２の動作フローを示す図である。また、図９は、利用申請装置２０３の動作フローを示す図である。
【００４２】
まず、複数の無線LANアクセスポイント２０１Aは、認証装置識別子を含むビーコンを送信する。複数の無線LANアクセスポイント２０１Aは、定期的に無線LANアクセスポイント２０１A利用エリア２０４内全体にビーコンを送信する。
【００４３】
パーソナルコンピュータ２０２は、無線LANアクセスポイント２０１Aの利用エリア２０４に入ると、無線LANインターフェース部２０２Aより、無線LANアクセスポイント２０１Aが送信するビーコンを受信する（Ｓ１０１）。ここで、無線LANアクセスポイント２０１Aのビーコンの認証装置識別子は、例えば、BSSIDが、００:０１:０２:aa:bb:cc、ESSIDが、public-wlanである。
【００４４】
利用申請制御部２０２Cは、ビーコンを受信すると、アカウント記憶部２０２DにBSSIDが００:０１:０２:aa:bb:cc、ESSIDがpublic-wlanである認証装置識別子に対応するユーザアカウントがあるか否かの検索を行う（Ｓ１０２）。
【００４５】
検索結果により、アカウント記憶部２０２Dに認証装置識別子に対応するユーザアカウントがある場合、利用申請制御部２０２Cは、そのユーザアカウントにより、無線LANインターフェース部２０２Aにより、インターネットに接続を試みる（Ｓ１０７）。即ち、利用申請制御部２０２Cは、無線LANインターフェース部２０２Aにより、無線LANアクセスポイント２０１Aに対して、ユーザアカウントを送信する。
【００４６】
一方、検索結果により、アカウント記憶部２０２Dにビーコンに対応するユーザアカウントがない場合（Ｓ１０３：なし）、若しくは、アカウント記憶部２０２Dにビーコンに対応するユーザアカウントがあったが（Ｓ１０３：ある）、利用申請制御部２０２Cが、そのユーザアカウントで、無線LANインターフェース部２０２Aにより、インターネットに接続を試みたが、接続に失敗した場合（Ｓ１０７：接続失敗）、利用申請制御部２０２Cは、PHSインターフェース部２０２Aにより、利用申請サーバ２０３AのPHSインターフェース部２０３A1のPHS電話番号宛に利用申請ショートメッセージを送信する（Ｓ１０４）。ここで、利用申請ショートメッセージは、認証装置識別子（BSSID:００:０１:０２:aa:bb:ccと、ESSID:public-wlan）と、PHSインターフェース部２０２AのPHSの電話番号を含む情報である。
【００４７】
利用申請サーバ２０３Aは、PHSインターフェース部２０３A1により、利用申請ショートメッセージを受信する（Ｓ２０１）。利用申請ショートメッセージを受信すると、アカウント制御部２０３A３は、認証サーバデータベース２０３Cから、無線LANアクセスポイント２０１Aの認証装置識別子（BSSID:００:０１:０２:aa:bb:ccと、ESSID:public-wlan）に対応する認証サーバ２０１BのIPアドレスを検索し（Ｓ２０２）、上記の認証装置識別子に対応する認証サーバ２０１Bを同定する（Ｓ２０３）。
【００４８】
次に、アカウント制御部２０３A３は、同定した認証サーバ２０１Bに対して、TCP/IPインターフェース部２０３A2により、一時利用ユーザアカウント作成依頼メッセージを送信する（Ｓ２０４）。尚、利用申請サーバ２０３Aから認証サーバ２０１Bへの一時利用ユーザアカウント作成依頼メッセージは、認証や暗号化の策を施してある。メッセージの安全性を確保するためである。安全性確保のために、例えば、SSL、TKS,PGPなどの技術を用いる。
【００４９】
無線LANアクセスポイント２０１Aに対応する認証サーバ２０１Bは、一時利用ユーザアカウント作成依頼メッセージを受信する。一時利用ユーザアカウント作成依頼メッセージを受信した認証サーバ２０１Bは、ユーザアカウントを作成する。ここで、ユーザアカウントは、例えば、ユーザID：wlan10987、パスワード：GyRCNｍU９１０JnM１ｇであるとする。
【００５０】
認証サーバ２０１Bは、ユーザアカウントを作成すると、作成したユーザアカウントと、一時利用ユーザアカウント作成依頼メッセージの送信元である利用申請装置２０３のIPアドレスを、認証データベース２０１Cに登録する。
【００５１】
認証サーバ２０１Bは、次に、TCP/IP部２０１B1により、一時利用ユーザアカウント作成応答メッセージを利用申請サーバ２０３Aへ送信する。一時利用ユーザアカウント作成応答メッセージは、ユーザアカウントを含む情報である。一時利用ユーザアカウント作成応答メッセージは、例えば、接続パラメータを含めて良い。接続パラメータは、例えば、ESSID、無線LAN暗号方式、無線LAN暗号鍵、ユーザ認証方式である。ここで、ESSIDは、文字列である。また、無線LAN暗号方式は、例えば、WEP、WEP１０４、WEP128、WPA、WPA−PSK、WPA２−PSKのいずれかを示す値や文字列である。また、無線LAN暗号鍵は、例えば、WEP、WEP１０４、WEP128、WPA−PSK、WPA２−PSKである場合の鍵データ列である。また、ユーザ認証方式は、例えば、WPA、WPA２、Weｂのいずれかを示す値や文字列を含む。
【００５２】
次に、利用申請サーバ２０３Aは、TCP/IPインターフェース部２０３A2により一時利用ユーザアカウント作成応答メッセージを受信する（Ｓ２０５）。一時利用ユーザアカウント作成応答メッセージを受信すると、利用申請サーバ２０３Aのアカウント制御部２０３A３は、利用申請ショートメッセージの送信元であるパーソナルコンピュータ２０２のPHSインターフェース部２０２Aの電話番号と認証サーバ２０１Bが発行したユーザID ：wlan10987とを、課金データベース２０３Bに、アカウント作成ログとして保存する（Ｓ２０６）。
【００５３】
次に、利用申請サーバ２０３Aのアカウント制御部２０３A３は、PHSインターフェース部２０３A1により、利用申請ショートメッセージの送信元であるパーソナルコンピュータ２０２に対して、一時利用ユーザアカウント応答ショートメッセージを送信する（Ｓ２０７）。ここで、一時利用ユーザアカウント応答ショートメッセージは、利用申請サーバ２０３Aが、認証サーバ２０１Bから受信した一時利用ユーザアカウント作成応答メッセージで受信した情報と利用申請サーバ２０３AのPHSインターフェース部２０３A１の電話番号を含む情報である。即ち、一時利用ユーザアカウント応答ショートメッセージは、一時利用アカウント作成応答メッセージで受信したユーザID ：wlan10987、パスワード：GyRCNｍU９１０JnM１ｇを含む。更に、一時利用アカウント作成応答メッセージで受信したESSID、無線LAN暗号方式、無線LAN暗号鍵、ユーザ認証方式などを含む。
【００５４】
パーソナルコンピュータ２０２の利用申請制御部２０２Cは、PHSインターフェース部２０２Aにより、一時利用ユーザアカウント応答ショートメッセージのショートメッセージを受信すると（Ｓ１０５）、一時利用ユーザアカウント応答ショートメッセージが、パーソナルコンピュータ２０２が送信した利用申請のショートメッセージの送信先である利用申請サーバ２０３Aからの送信であることを確認する。この確認は、利用申請サーバ２０３AのPHSインターフェース部２０３A１の電話番号により確認することができる。
【００５５】
次に、利用申請制御部２０２Cは、受信した一時利用ユーザアカウントメッセージに含まれる接続パラメータとユーザIDとパスワードとを、アカウント記憶部２０２Dに記録する（Ｓ１０６）。
【００５６】
次に、利用申請制御部２０２Cは、接続パラメータとユーザIDとパスワードとを無線LANインターフェース部２０２Aに設定する。そして、利用申請制御部２０２Cは、無線LANアクセスポイント２０１Aと接続する。無線LANアクセスポイント２０１Aとの接続の際、利用申請制御部２０２Cは、無線LANインターフェース部２０２Aで、無線LANアクセスポイントに対して、ユーザアカウントを送信する。（Ｓ１０７）。
【００５７】
パーソナルコンピュータ２０２が、無線LANアクセスポイント２０１Aと接続すると、認証サーバ２０１Bは、無線LANインターフェース部２０２Aに設定されたユーザIDとパスワードの正当性を確認する。即ち、認証サーバ２０１Bは、無線LANインターフェース部２０２Aに設定されたユーザIDとパスワードが、認証データベース２０１Cに記憶されたユーザIDとパスワードであるか否かを確認する。認証プロトコルとしては、例えば、IEE８０２．１X、IEEE８０２．１１i、Webによる認証などが用いられる。そして、認証サーバ２０１Bが、ユーザIDとパスワードの正当性を認証すると、認証ゲートウェイ２０１Dが、認証されたパーソナルコンピュータ２０２をインターネットに通過させ、パーソナルコンピュータ２０２はインターネットに接続する（Ｓ１０７：接続成功）。
【００５８】
認証サーバ２０１Bは、パーソナルコンピュータ２０２からのインターネットへの接続を認証すると、ユーザIDに対応する利用申請サーバ２０３AのIPアドレスを認証データベース２０１Cから検索し、ユーザIDに対応する利用申請サーバ２０３AのIPアドレスを得る。そして、認証サーバ２０１Bは、IPアドレスに対応する利用申請サーバ２０３Aに対して、ユーザIDを含む情報である認証実施通知を行う。
【００５９】
IPアドレスに対応する利用申請サーバ２０３Aは、認証実施通知をTCP/IPインターフェース部２０３A2により受信する（Ｓ２０８）。認証実施通知を受信すると、アカウント制御部２０３A３は、課金データベース２０３BにユーザIDの利用確認ログを登録する（Ｓ２０９）。
【００６０】
以上のように、課金データベース２０３Bは、アカウント作成ログとしてパーソナルコンピュータ２０２のPHSインターフェース部２０２Aの電話番号と認証サーバ２０１Bが発行したユーザID ：wlan10987とを、保存する。そして、パーソナルコンピュータ２０２が、インターネットに接続すると、利用申請の課金データベース２０３Bは、ユーザIDの利用確認ログを登録する。したがって、課金データベース２０３Bより、インターネットへ接続したパーソナルコンピュータ２０２のPHSインターフェースの電話番号がわかる。従って、課金データベース２０３Bの記録に基づき、パーソナルコンピュータ２０２のインターネット接続の使用料金を、PHSの通信費用への課金で賄うことができる。また、PHSの運用会社と公衆無線LANの運用会社が異なる場合においても、課金データベース２０３Bの記録に基づき、両会社での決済が可能となる。
【００６１】
本例に係るLANシステムによれば、パーソナルコンピュータ２０２のアカウント記憶部２０２Dに、認証装置識別子とその認証装置識別子に対応する認証サーバ２０１Bが以前発行しパーソナルコンピュータ２０２が既に取得したユーザアカウントを含む情報を記憶していない場合であっても、本例に係るシステムにより、ユーザアカウントを取得することにより、インターネットに接続することができる。したがって、本例に係るLANシステムによれば、事前に契約してないLANサービスの事業者が提供するLANを介してインターネット接続することができる。例えば、LANアクセスポイント２０１Aが点在する外出先でも自由にインターネット接続ができる。
【００６２】
また、本例に係るLANシステムにおいて、第１の実施形態に係るLANシステムと同様に、パーソナルコンピュータ２０２のユーザは、無線LANアクセスポイント２０１Aの利用エリア２０４に入ることにより、自動的にユーザアカウントを取得することができる。
【００６３】
また、本例に係るLANシステムによれば、PHSインターフェース部２０２Aの識別子である電話番号は、PHS網２１２のサービスを提供する事業者に対して、PHSの所有者を特定する情報を伝えて、契約を結ぶことにより、付与される電話番号である。そして、電話番号を有する者は、他の電話番号を有するものと、PHS網２１２のサービスを提供する事業者の認証なしに自由にPHS網２１２で通信を行うことができる。従って、PHSインターフェース部２０２Aを有するパーソナルコンピュータ２０２は、PHS網２１２で通信を行う際、自由にPHSの電話番号を有する利用申請サーバ２０３Aと通信を行うことができる。
【００６４】
（例２）
図１０は、第１の実施形態の例２にかかるLANシステムを示すブロック図である。図１１は、例２に係るLANシステムのパーソナルコンピュータ３０２を示すブロック図である。
【００６５】
本例のLANシステムは、有線LANシステムである。例２にかかるLANシステムは、例１の無線LANを有線LANに置き換えた。また、例２に係る認証装置３０１は、無線LANアクセスポイントを有しない。また、例２に係るパーソナルコンピュータ３０２は、有線LANインターフェース部３０２Aを有し、無線LANインターフェース部を有する例１に係るパーソナルコンピュータと異なる。有線LANインターフェース部３０２Aは、例えば、Ethernet（登録商標）インターフェース部である。その他の構成は、例１に係るLANシステムと同様である。
【００６６】
次に、有線LANシステムの動作について説明する。図１２は、例２に係るLANシステムのパーソナルコンピュータ３０２の動作フローを示す図である。
【００６７】
本例にかかる有線LANシステムの動作方法は、認証装置識別子を取得するために、パーソナルコンピュータ３０２が、有線LAN接続し、認証ゲートウェイ３０１Aによる認証を行い、その認証の際に認証ゲートウェイ３０１Aが送信する認証装置識別子を受信することにより取得する点が、例１に係るLANシステムと異なる。有線LANシステムにおいては、まず、利用申請制御部３０２Cが、有線LANインターフェース部３０２Aにより、認証ゲートウェイ３０１Aに有線LAN接続を行う（Ｓ３０１）。
【００６８】
パーソナルコンピュータ３０２からの認証ゲートウェイ３０１Aへの接続を確認すると、認証サーバ３０１Bは、認証を行う。接続認証手順として、例えば、IEEE８０２．１Xがある。認証ゲートウェイ３０１Aは、認証の際、認証メッセージを送信する。ここで、認証メッセージは、送信元である認証ゲートウェイ３０１Aを特定する識別子を含む。本例においては、認証ゲートウェイ３０１Aを特定する識別子は、MACアドレスである。
【００６９】
利用申請制御部３０２Cは、有線LANインターフェース部３０２Aにより、認証メッセージを受信すると（Ｓ３０２）、アカウント記憶部３０２DにMACアドレスに対応するユーザアカウントがあるか否かの検索を行う（Ｓ３０３）。以後の動作は、例１にかかるLANシステムにおいて、認証装置識別子のBSSIDをMACアドレスに置き換えることと、無線LANを有線LAN３０４に置き換えること以外は、同様の動作を行う。
【００７０】
本例に係るLANシステムによれば、端末装置が、有線LAN接続し、認証ゲートウェイから認証装置識別子を受信することにより、その認証装置識別子に対応する認証サーバが発行するユーザアカウントを取得することができ、インターネットに接続することができる。
【００７１】
また、本例に係るLANシステムによれば、例１にかかるLANシステムと同様に、PHS網で通信を行う際、自由にPHSの電話番号を有する利用申請サーバと通信を行うことができる。
【００７２】
また、本例に係るLANシステムによれば、例１にかかるLANシステムと同様に、パーソナルコンピュータのインターネット接続の使用料金を、PHSの通信費用への課金で賄うことができる。また、PHSの運用会社と有線LANの運用会社が異なる場合においても、両会社での決済が可能となる。
【００７３】
（例３）
次に、第１の実施形態の例３に係るLANシステムについて説明する。図１３は、例３にかかるLANシステムの利用申請装置４０３のブロック図である。また、図１４は、本例の利用申請装置４０３の動作フロー図である。
【００７４】
本例に係るLANシステムは、利用申請装置４０３が、例１にかかる利用申請装置４０３と異なり、その他の構成は、例１と同様である。また、本例の利用申請装置４０３は、例１の利用申請装置４０３と比べて、サーバアカウント記憶部４０３Dを更に備えている点が異なり、その他の構成は同様である。
【００７５】
ここで、サーバアカウント記憶部403Dは、認証装置識別子とその認証装置識別子を含むビーコンを送信する認証装置が以前発行したユーザアカウントを記憶している。本例に係る利用申請装置４０３を利用したＬＡＮシステムとしては、例えば、パーソナルコンピュータのアカウント記憶部は、認証装置が発行したユーザアカウントを短期的に記憶し、利用申請装置４０３のサーバアカウント記憶部４０３Ｄは、ユーザアカウントを長期的に記憶させる場合がある。この場合、ユーザアカウントを利用申請装置４０３が長期的に一括管理することにより、ＰＨＳ通信網を通じて利用申請装置４０３に接続できるパーソナルコンピュータのみが、ユーザアカウントを取得できることとなり、セキュリティ向上を達成することができる。
【００７６】
次に、本例に係るLANシステムの動作について説明する。
【００７７】
例１で説明したのと同様に、利用申請サーバ４０３Aは、PHSインターフェース部４０３A１により利用申請ショートメッセージを受信する（Ｓ４０１）。利用申請ショートメッセージを受信すると、アカウント制御部４０３A2は、利用申請ショートメッセージに含まれる認証装置識別子をサーバアカウント記憶部403Dから検索する（Ｓ４０２）。検索の結果、サーバアカウント記憶部403Dに利用申請ショートメッセージに含まれる認証装置識別子がなかった場合（Ｓ４０３：なし）、第１の実施形態の例１と同様に、アカウント制御部４０３A２は、認証装置識別子から認証サーバを同定し（Ｓ４０４）、同定した認証サーバに対して、TCP/IPインターフェース部４０３A３により、一時利用ユーザアカウント作成依頼メッセージを送信する（Ｓ４０５）。そして、利用申請サーバ４０３Aは、認証サーバが発行したユーザアカウントを含む一時利用ユーザアカウント作成応答メッセージをTCP/IPインターフェース部４０３A３により、受信する（Ｓ４０６）。そして、一時利用ユーザアカウント作成応答メッセージを受信すると、アカウント制御部４０３A２は、サーバカウント記憶部403Dに認証装置識別子とユーザアカウントとを記憶する（Ｓ４０７）。そして、アカウント制御部４０３A２は、利用申請のショートメッセージの送信元であるパーソナルコンピュータのPHSインターフェース部の電話番号と認証サーバが発行したユーザID とを、課金データベース４０３Bに、アカウント作成ログとして保存する（Ｓ４０８）。そして、アカウント制御部４０３A２は、利用申請のショートメッセージの送信元であるパーソナルコンピュータに対して、一時利用ユーザアカウント応答ショートメッセージを送信する（Ｓ４０９）。その他の動作は、例１と同様である。
【００７８】
一方で、検索の結果、サーバアカウント記憶部４０３Ｄに利用申請ショートメッセージに含まれた認証装置識別子があった場合（Ｓ４０３：ある）、アカウント制御部４０３A２は、認証装置識別子に対応するユーザアカウントを取得する。アカウント制御部４０３A２は、利用申請ショートメッセージの送信元であるパーソナルコンピュータのPHSインターフェース部の電話番号と取得したユーザアカウントのユーザIDとを課金データベース４０３Bにアカウント作成ログとして保存する（Ｓ４０８）。その後、アカウント制御部４０３A２は、PHSインターフェース部４０３A１により、パーソナルコンピュータのPHSインターフェース部に、取得したユーザアカウントを含む一時利用アカウント応答ショートメッセージを送信する（Ｓ４０９）。その他の動作は、例１と同様である。
【００７９】
本例に係るLANシステムによれば、例１に係るLANシステムと同様の効果を達成することができる。
【００８０】
なお、本発明は上記第1の実施形態及び第１の実施形態の例1〜例3そのままに限定されるものではなく、実施段階ではその要旨を逸脱しない範囲で構成要素を変形して具体化できる。
【００８１】
また、上記第1の実施形態及び第１の実施形態の例１〜例3に開示されている複数の構成要素の適宜な組み合わせにより、種々の発明を形成できる。例えば、第1の実施形態及び第１の実施形態の例１〜例3に示される全構成要素から幾つかの構成要素を削除してもよい。さらに、第1の実施形態及び第１の実施形態の例１〜例3にわたる構成要素を適宜組み合わせてもよい。
【図面の簡単な説明】
【００８２】
【図１】本発明の第１の実施形態にかかるLANシステムを示すブロック図。
【図２】本発明の第１の実施形態にかかるLANシステムの動作方法を示すブロック図。
【図３】本発明の第１の実施形態の例１にかかるLANシステムを示すブロック図。
【図４】本発明の第１の実施形態の例１にかかるパーソナルコンピュータのブロック図。
【図５】本発明の第１の実施形態の例１にかかるアカウント記憶部が記憶している情報の例を示す図。
【図６】本発明の第１の実施形態の例１にかかる利用申請装置のブロック図。
【図７】本発明の第１の実施形態の例１にかかるLANシステム全体の動作の流れ図。
【図８】本発明の第１の実施形態の例１にかかるパーソナルコンピュータの動作フローを示す図。
【図９】本発明の第１の実施形態の例１にかかる利用申請装置の動作フローを示す図。
【図１０】本発明の第１の実施形態の例２にかかるLANシステムを示すブロック図。
【図１１】本発明の第１の実施形態の例２に係るパーソナルコンピュータを示すブロック図。
【図１２】本発明の第１の実施形態の例２に係るパーソナルコンピュータの動作フローを示す図。
【図１３】本発明の第１の実施形態の例３に係る利用申請装置のブロック図。
【図１４】本発明の第１の実施形態の例３に係る利用申請装置の動作フロー図。
【符号の説明】
【００８３】
１０１、２０１、３０１・・・認証装置
１０２・・・端末装置
１０３、２０３・・・利用申請装置
１０４、２０４・・・利用エリア
１０５・・・インターネット
１０６・・・第１の通信手段
１０７・・・第２の通信手段
１０８・・・第３の通信手段
１０９・・・第４の通信手段
１１０・・・第５の通信手段
１１１・・・第６の通信手段
１１２・・・第１の通信路
１１３・・・第２の通信路
１１４・・・第３の通信路
２０２、３０２・・・パーソナルコンピュータ
２０３、４０３・・・利用申請装置
２０１A・・・無線LANアクセスポイント
２０１B、３０１B・・・認証サーバ
２０１C・・・認証データベース
２０１D、３０１A・・・認証ゲートウェイ
２０１B１、２０３A２、４０３A３・・・TCP/IPインターフェース部
２１２・・・PHS通信網
２０２A・・・無線LANインターフェース部
２０２B、２０３A１、４０３A１・・・PHSインターフェース部
２０２C、３０２C・・・利用申請制御部
２０２D、３０２D・・・アカウント記憶部
２０３A、４０３A・・・利用申請サーバ
２０３B、４０３B・・・課金データベース
２０３C・・・認証サーバデータベース
３０４・・・有線LAN
３０２A・・・有線LANインターフェース部
４０３D・・・サーバアカウント記憶部
２０３A３、４０３A２・・・アカウント制御部
【図１】
2010074481.tif 000003
【図２】
2010074481.tif 000004
【図３】
2010074481.tif 000005
【図４】
2010074481.tif 000006
【図５】
2010074481.tif 000007
【図６】
2010074481.tif 000008
【図７】
2010074481.tif 000009
【図８】
2010074481.tif 000010
【図９】
2010074481.tif 000011
【図１０】
2010074481.tif 000012
【図１１】
2010074481.tif 000013
【図１２】
2010074481.tif 000014
【図１３】
2010074481.tif 000015
【図１４】
2010074481.tif 000016